(57)【要約】【課題】隣接する透光パネル部材同士に連続性を持たせることができる移動間仕切装置を提供する。【解決手段】天井Ｒに設けられる誘導路３に吊支部材９を介して吊支され誘導路３に沿って移動可能であり、間隔をおいて対向して配置される一対の透光パネル部材４を有する間仕切パネル１を複数連接させて空間を仕切る移動間仕切装置１０であって、間仕切パネル１は、一対の透光パネル部材４の側端面４ｂ，４ｃに亘って延びる側部カバー部材７６，７７を有し、側部カバー部材７６，７７の縁部７６ｂ，７７ｂが一対の透光パネル部材４の側端面４ｂ，４ｃに固着されている。【選択図】図６
2019218693.tif 000002
【特許請求の範囲】
【請求項１】
天井に設けられる誘導路に吊支部材を介して吊支され該誘導路に沿って移動可能であり、間隔をおいて対向して配置される一対の透光パネル部材を有する間仕切パネルを複数連接させて空間を仕切る移動間仕切装置であって、
前記間仕切パネルは、前記一対の透光パネル部材の側端面に亘って延びる側部カバー部材を有し、前記側部カバー部材の縁部が前記一対の透光パネル部材の側端面に固着されていることを特徴とする移動間仕切装置。
【請求項２】
前記一対の透光パネル部材の間には、上下方向に亘って延びる縦杆部材が配置されており、前記縦杆部材に前記側部カバー部材が取付けられていることを特徴とする請求項１に記載の移動間仕切装置。
【請求項３】
前記縦杆部材と前記一対の透光パネル部材の対向内面とは、接着材により固着されていることを特徴とする請求項２に記載の移動間仕切装置。
【請求項４】
前記縦杆部材と前記一対の透光パネル部材の対向内面との間には、前記接着材が固着された位置とは異なる位置に、緩衝部材が配置されていることを特徴とする請求項３に記載の移動間仕切装置。
【請求項５】
前記側部カバー部材は、前記透光パネル部材の表面に沿って該透光パネル部材の反対側の側端面方向に延びる延出部を有することを特徴とする請求項１ないし４のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような間仕切パネルにあっては、連接された際に室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される間仕切パネルは、間仕切パネルの厚み方向に対向して配設される一対の透光パネル部材と、一対の透光パネル部材が取付けられる四方枠形状の枠体と、を備えており、枠体は、一対の透光パネル部材を支持した状態で、吊支部材により天井に設けられるレールに吊支されている。
【０００４】
透光パネル部材は、その四辺が上下一対の横サッシ及び左右一対の縦サッシにより取り囲まれており、枠体は、縦サッシよりも外側に張り出しており、縦サッシに設けられた係止孔に枠体を構成する縦杆部材に設けられたフックを係止させることで、枠体に対して一対の透光パネル部材が支持されている。また、間仕切パネルを連接するときには、隣接する間仕切パネルの縦杆部材同士を接触させることで、透光パネル部材の破損が防止されている。
【先行技術文献】
【特許文献】
【０００５】
【特許文献１】特許第４９８１５８２号公報（第６頁、第３図）
【発明の概要】
【発明が解決しようとする課題】
【０００６】
しかしながら、特許文献１にあっては、縦杆部材が透光パネル部材よりも側方に張り出して配設されているため、間仕切パネルを連接したときに、隣接する透光パネル部材同士の間に縦杆部材が位置し、透光パネル部材同士が連接方向において分断された印象を与えてしまい、室内空間の開放感を十分に演出できないという問題がある。
【０００７】
本発明は、このような問題点に着目してなされたもので、隣接する透光パネル部材同士に連続性を持たせることができる移動間仕切装置を提供することを目的とする。
【課題を解決するための手段】
【０００８】
前記課題を解決するために、本発明の移動間仕切装置は、
天井に設けられる誘導路に吊支部材を介して吊支され該誘導路に沿って移動可能であり、間隔をおいて対向して配置される一対の透光パネル部材を有する間仕切パネルを複数連接させて空間を仕切る移動間仕切装置であって、
前記間仕切パネルは、前記一対の透光パネル部材の側端面に亘って延びる側部カバー部材を有し、前記側部カバー部材の縁部が前記一対の透光パネル部材の側端面に固着されていることを特徴としている。
この特徴によれば、側部カバー部材の縁部が透光パネル部材の側端面に固着されて一体化されることで、側部カバー部材の縁部の強度が高くなるため、側部カバー部材の縁部を薄く形成することができ、隣接する間仕切パネルの透光パネル部材同士を近付けて配置して連続性を持たせることができる。
【０００９】
前記一対の透光パネル部材の間には、上下方向に亘って延びる縦杆部材が配置されており、前記縦杆部材に前記側部カバー部材が取付けられていることを特徴としている。
この特徴によれば、強度の高い縦杆部材に側部カバー部材が取付けられているので、一対の透光パネル部材の相対移動を規制することができる。
【００１０】
前記縦杆部材と前記一対の透光パネル部材の対向内面とは、接着材により固着されていることを特徴としている。
この特徴によれば、一対の透光パネル部材が直交する２面で側部カバー部材と縦杆部材とに固着されるので、側部カバー部材と縦杆部材と一対の透光パネル部材とが一体化され、夫々の相対移動を防止できる。
【００１１】
前記縦杆部材と前記一対の透光パネル部材の対向内面との間には、前記接着材が固着された位置とは異なる位置に、緩衝部材が配置されていることを特徴としている。
この特徴によれば、縦杆部材と透光パネル部材との接触を防止することができる。
【００１２】
前記側部カバー部材は、前記透光パネル部材の表面に沿って該透光パネル部材の反対側の側端面方向に延びる延出部を有することを特徴としている。
この特徴によれば、延出部により透光パネル部材の側端面と側部カバー部材との固着部分が透光パネル部材の表面側から視認不能または視認しにくくすることができるため、美観が向上する。
【図面の簡単な説明】
【００１３】
【図１】本発明の実施例における移動間仕切装置を示す正面図である。
【図２】間仕切パネルの構造を示す分解斜視図である。
【図３】上部閉塞部材及び下部閉塞部材の収納状態を示す縦断面図である。
【図４】上部閉塞部材及び下部閉塞部材の閉塞状態を示す縦断面図である。
【図５】上部フレームと縦フレームとの連結構造を拡大して示した分解斜視図である。
【図６】実施例における側部カバー部材周辺の構造を示す上面視における断面図である。
【図７】間仕切パネルの変形例１を示す上面視における断面図である。
【図８】間仕切パネルの変形例２を示す上面視における断面図である。
【図９】間仕切パネルの変形例３を示す上面視における断面図である。
【発明を実施するための形態】
【００１４】
本発明に係る移動間仕切装置を実施するための形態を実施例に基づいて以下に説明する。
【実施例】
【００１５】
実施例に係る移動間仕切装置につき、図１から図６を参照して説明する。以下、図１の紙面手前側及び図３の紙面右側を移動間仕切装置の正面側（前方側）とし、その前方側から見たときの上下左右方向を基準として説明する。
【００１６】
間仕切パネル１は、例えば、オフィス、会議室、ショールーム、店舗等の建物内の室内を所定の区画に仕切るために用いられるものであり、図１に示されるように、本実施例では、複数の間仕切パネル１，１，…を組み合わせて移動間仕切装置１０を構成している。
【００１７】
移動間仕切装置１０は、室内空間の天井面Ｒに設けられるレール３（誘導路）に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床面Ｆに向けて押し付けられることにより天井面Ｒから床面Ｆに亘って室内空間を仕切ることができるようになっている。
【００１８】
図２に示されるように、間仕切パネル１は、前後に間隔をおいて対向配置される一対のガラスパネル４，４（透光パネル部材）と、ガラスパネル４，４を一体に保持する枠部材５（上部フレーム６、縦フレーム７，７（縦杆部材）及び下部フレーム８）と、上部フレーム６及び下部フレーム８（枠部材５の上下端部）に収納される上部閉塞部材１１及び下部閉塞部材１２と、上部閉塞部材１１及び下部閉塞部材１２を進退動作させる進退機構（図示略）と、から主に構成される二重ガラスパネル構造を成し、パネル材として透明のガラスパネル４が使用されることにより、間仕切パネル１によって仕切られる室内空間の開放感を演出することができるとともに、強度や遮音性に優れている。尚、本実施例では、ガラスパネル４，４と枠部材５とが一体化されてパネル本体２０を構成している。
【００１９】
図３を用いて、先ずガラスパネル４の構造について説明する。ガラスパネル４は、２枚の透明な板ガラス４１，４１を重合して強化された合わせガラスとなっている。板ガラス４１，４１は透明な接着層１７（図６参照）により固着されているため、板ガラス４１，４１が一体化されてガラスパネル４の強度が高くなっている。尚、板ガラス４１，４１は、透明度の高いポリカーボネートやアクリル樹脂製を使用してもよい。
【００２０】
次いで、枠部材５の構造について説明する。図２に示されるように、枠部材５は、ガラスパネル４，４の上端部に沿って取付けられる上部フレーム６と、上端部が上部フレーム６の左右両端部に接続される一対の縦フレーム７，７と、ガラスパネル４，４の下端部に沿って取付けられ、左右両端部が一対の縦フレーム７，７の下端部に接続される下部フレーム８と、から主に構成され、一対のガラスパネル４，４の上下左右端に沿って配置される、いわゆる四方枠形状を成している。
【００２１】
図３を参照し、上部フレーム６は、アルミ合金等の金属製の押出成形品であり、下面側の前後に長手方向に沿って設けられる凹溝部６１，６１と、上面側の前後略中央部に長手方向に沿って設けられる上部チャンネル部６２と、を備えている。凹溝部６１は、側方から見て下向きコ字状を成し、ガラスパネル４，４の上端部を上方から嵌合している。上部チャンネル部６２は、側方から見て上向きコ字状を成し、上部閉塞部材１１を収容している。
【００２２】
また、図５に示されるように、上部フレーム６は、左右方向に貫通して延びる溝６ｄを備え、溝６ｄの左右両端部には、鋼製の芯部材６３，６３（左側のみ図示）が挿入された状態で固定されている。芯部材６３は、左右方向に延びる鋼製等の棒状を成し、その左右方向略中央部に上方向に突出し吊支部材９を接続可能な筒状の接続部６３ａが設けられている。芯部材６３は、接続部６３ａに対して吊支部材９が上方からアクセス可能な状態で上部フレーム６の溝６ｄに固定されており、上部閉塞部材１１を貫通した吊支部材９の軸部が接続部６３ａの上方から挿入されて固定されている。
【００２３】
図３に戻って、下部フレーム８は、アルミ合金等の金属製の押出成形品であり、上面側の前後に長手方向に沿って設けられる凹溝部８１，８１と、下面側の前後略中央部に長手方向に沿って設けられる下部チャンネル部８２と、を備えている。凹溝部８１は、側方から見て上向きコ字状を成し、ガラスパネル４，４の下端部を下方から嵌合している。下部チャンネル部８２は、側方から見て下向きコ字状を成し、下部閉塞部材１２を収容している。
【００２４】
図２及び図５に示されるように、縦フレーム７は、間仕切パネル１の上下方向に延びる芯部材７１が前後面において上下方向に延びる被覆部材７０に被覆されて構成され、左右方向に厚みを有する略板状を成し、ガラスパネル４，４の間に配設されている。また、縦フレーム７は、一対のガラスパネル４，４間の間隔の寸法Ｌ２よりも板厚（左右方向の厚み）の寸法Ｌ１が短寸に形成されている（Ｌ１＜Ｌ２，図６参照）。尚、被覆部材７０は、アルミ合金等の金属製の押出成形品であり、芯部材７１は、左右方向に厚みを有する鋼製の板材である。
【００２５】
このように、縦フレーム７，７は、芯部材７１，７１を鋼製等の剛性の高い素材により構成し、芯部材７１，７１を薄く構成したアルミ合金製の被覆部材７０，７０で被覆することにより、縦フレーム７，７を左右方向の厚みの薄い板状に構成しつつ、芯部材７１，７１により縦フレーム７，７の縦方向の強度を確保できる。
【００２６】
尚、縦フレーム７，７の上端部は、ネジ１３により上部フレーム６に対して側方から固定されているとともに、ネジ１３の外側からカバー部材７８がネジ１５により芯部材６３に固定されている（特に図５参照）。
【００２７】
図６に示されるように、縦フレーム７は、ガラスパネル４，４間に配置され、縦フレーム７を構成する被覆部材７０の前後の支持面７０ａ，７０ｂと、ガラスパネル４，４の対向面４ａ，４ａ（対向内面）との間には、上下方向に延びる透明な両面テープ７５，７５（接着材，接着層）が配置されている。具体的には、支持面７０ａ，７０ｂには、ガラスパネル４，４側に突出する凸条部７２，７２及び凸状部７３が左右方向に離間してそれぞれ設けられており、凸条部７２，７２の突出側先端面７２ａ，７２ａには、上下方向に沿って両面テープ７５，７５が貼付されて、両面テープ７５，７５の他方の面はガラスパネル４，４の対向面４ａ，４ａに貼付され、ガラスパネル４，４と縦フレーム７とが固着されている。
【００２８】
間仕切パネル１の左側に配置される縦フレーム７において、凸条部７２，７２は被覆部材７０のガラスパネル４の側端面４ｂ（左側端面）側と、被覆部材７０の左右方向略中央部とに設けられており、凸状部７３は被覆部材７０のガラスパネル４の側端面４ｃ（右側端面）側に設けられている。また、間仕切パネル１の右側に配置される縦フレーム７において、凸条部７２，７２はガラスパネル４の側端面４ｃ側と、被覆部材７０の略中央部とに設けられており、凸状部７３は被覆部材７０のガラスパネル４の側端面４ｂ側に設けられている。
【００２９】
また、被覆部材７０の支持面７０ａ，７０ｂにおける各凸状部７３（両面テープ７５が固着された位置とは異なる位置）には、ガラスパネル４側に開口する上下方向に延びる凹溝７３ａが形成されており、該凹溝７３ａには透明な合成樹脂製の緩衝部材２２が配置されている。すなわち、緩衝部材２２は、被覆部材７０の支持面７０ａ，７０ｂにおける両面テープ７５よりもガラスパネル４，４の中央側の位置に配置されている。尚、緩衝部材２２は、両面テープ７５よりも厚みを有しており、弾性変形可能となっている。
【００３０】
尚、本実施例では、両面テープ７５及び緩衝部材２２が透明な部材で形成されているため、両面テープ７５や緩衝部材２２がガラスパネル４，４を通して視認し難くなっているが、例えば、両面テープ７５や緩衝部材２２が被覆部材７０と略同色に着色されていても同様の効果を発揮できる。
【００３１】
図２、図５及び図６に示されるように、縦フレーム７，７の左、右側部には、それぞれ側部カバー部材７６，７７が取付けられている。具体的には、側部カバー部材７６，７７は、アルミ合金等の金属製の押出成形品であり、縦フレーム７と略同一の上下寸法を有するとともに、一対のガラスパネル４，４に亘って延びる前後幅を有している。
【００３２】
特に図６に示されるように、間仕切パネル１の左側部に設けられる側部カバー部材７６は、前後中央部において右側に凹むように形成され右側の側部カバー部材７７の凸嵌合部７７ａが嵌合する凹嵌合部７６ａと、凹嵌合部７６ａの前後に連続して形成される縁部７６ｂ，７６ｂと、から構成されている。凹嵌合部７６ａは、縦フレーム７の芯部材７１にネジ１６により固定されており、凹嵌合部７６ａにおける開口部（左側）の前後スリットには、ゴム等の弾性部材７６ｆが設けられている。尚、側部カバー部材７６は、縦フレーム７に対して溶着されていてもよいし、他の固定手段により取付けられていてもよい。
【００３３】
縁部７６ｂ，７６ｂは、ガラスパネル４，４の側端面４ｂ，４ｂ（左側端面）の左側に対向配置される上面視平板状の対向部７６ｃ，７６ｃと、対向部７６ｃ，７６ｃの前後端縁から右側（透光パネル部材の反対側の側端面方向）に延びる上面視略直角三角形状の延出部７６ｄ，７６ｄと、を有している。
【００３４】
対向部７６ｃ，７６ｃは、対向するガラスパネル４，４の側端面４ｂ，４ｂに対して、上下方向に延びる透明な両面テープ２１，２１（接着材，接着層）により固着されている。また、ガラスパネル４，４の側端面４ｂ，４ｂと表面４ｄ及び裏面４ｅとの角部４ｆは面取り加工されており、延出部７６ｄ，７６ｄは、面取り加工された該角部４ｆと斜面同士が略平行になるように角部４ｆ内に配設されている。
【００３５】
また、凹嵌合部７６ａと縁部７６ｂ，７６ｂとの間には、右側に突出する鉤状の係止片７６ｅ，７６ｅが形成されており、係止片７６ｅ，７６ｅは、被覆部材７０の上下方向に沿って設けられた係合溝７０ｃ，７０ｃに挿入されて係合可能となっている。
【００３６】
また、間仕切パネル１の右側部に設けられる側部カバー部材７７は、前後中央部が右側に突出し、隣接する間仕切パネル１の側部カバー部材７６の凹嵌合部７６ａに嵌合可能な凸嵌合部７７ａを有している。尚、側部カバー部材７７は、凸嵌合部７７ａ以外の構成は側部カバー部材７６と同一の縁部７７ｂ、対向部７７ｃ、延出部７７ｄ、係止片７７ｅを有している。
【００３７】
隣接した間仕切パネル１，１が左右方向に連設される際には、側部カバー部材７６，７７同士が直接接触するため、ガラスパネル４，４の両側端面４ｂ，４ｃを保護できるようになっている。また、側部カバー部材７６の凹嵌合部７６ａと側部カバー部材７７の凸嵌合部７７ａと嵌合により該弾性部材７６ｆが圧接されるため、隣接する間仕切パネル１，１間における密閉性及び遮音性が高められている。尚、間仕切パネル１，１が左右方向に連設した際には、側部カバー部材７６の縁部７６ｂと側部カバー部材７７の縁部７７ｂ同士が左右方向に若干離間するようになっており、縦方向に目地を形成することができ、美観が向上する。
【００３８】
次に、上部閉塞部材１１及び下部閉塞部材１２について説明する。図２〜図４に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、アルミ合金等の金属製の押出成形品であり、下部フレーム８と略同一寸法で左右方向に延びており、側方から見て上向きコ字形状を成している。
【００３９】
図１に戻って、上部閉塞部材１１は、上部フレーム６の上部チャンネル部６２に収納された状態において、パネル本体２０よりも左側（間仕切り位置への進行方向）に向かって左端部（先端部）が突出している。尚、下部閉塞部材１２も同様に、下部チャンネル部８２に収納された状態において、パネル本体２０よりも左側（間仕切り位置への進行方向）に向かって左端部（先端部）が突出している。上部閉塞部材１１及び下部閉塞部材１２は、その左端部が左側に隣接する間仕切パネル１に接触した状態で押し込まれることによりレール３及び床面Ｆに対して進退動作するようになっている。
【００４０】
また、図３及び図４に示されるように、上部閉塞部材１１の上面側の前後及び下部閉塞部材１２の下面側の前後には、左右方向に沿って延びるゴム製等のシール部材１４が固着されており、特に図４に示されるように、上部閉塞部材１１及び下部閉塞部材１２がレール３及び床面Ｆに近づく方向に延出した状態にあっては、シール部材１４がそれぞれ上部閉塞部材１１及び下部閉塞部材１２とレール３の下面及び床面Ｆとの間で圧接され、密閉性及び遮音性が高められる。尚、上部閉塞部材１１及び下部閉塞部材１２を進退動作させる図示を省略する進退機構は、捻りコイルバネ、または捻りコイルバネ及びリンク部材を組み合わせたリンク機構等により構成されている。
【００４１】
以上説明したように、本実施例の移動間仕切装置１０における間仕切パネル１は、一対のガラスパネル４，４の側端面４ｂ，４ｂ及び側端面４ｃ，４ｃに亘って延びる側部カバー部材７６，７７を有し、側部カバー部材７６，７７の縁部７６ｂ，７７ｂがガラスパネル４，４の側端面４ｂ，４ｃに両面テープ２１，２１により固着されている。
【００４２】
これによれば、側部カバー部材７６，７７の片持支持されている縁部７６ｂ，７７ｂがガラスパネル４，４の側端面４ｂ，４ｃに固着されて一体化されることで、側部カバー部材７６，７７の縁部７６ｂ，７７ｂの強度が高くなる。すなわち、側部カバー部材７６，７７の縁部７６ｂ，７７ｂ自体に高い強度を持たせる必要がないため、縁部７６ｂ，７７ｂを薄く形成することができ、隣接する間仕切パネル１，１のガラスパネル４，４同士を近付けて配置して連続性を持たせることができる。これにより、ガラスパネル４，４同士が側部カバー部材７６，７７により連接方向において分断された印象を与えることが抑制され、室内空間の開放感を十分に演出することができる。
【００４３】
また、縁部７６ｂ，７７ｂは、間仕切パネル１を連接させるときに使用者に把持されることも多いが、縁部７６ｂ，７７ｂはガラスパネル４，４に固着されて強度が高いため、使用者に把持されても縁部７６ｂ，７７ｂが屈曲変形することが防止される。
【００４４】
また、ガラスパネル４，４の間には、上下方向に亘って延びる縦フレーム７，７が配置されており、縦フレーム７，７に側部カバー部材７６，７７が固定されている。これによれば、ガラスパネル４，４を一体に保持する枠部材５を構成する強度の高い縦フレーム７，７に側部カバー部材７６，７７が固定されているので、側部カバー部材７６，７７の位置を安定させることができ、ガラスパネル４，４の相対移動を規制することができる。
【００４５】
また、縦フレーム７，７は、一対のガラスパネル４，４の対向面４ａ，４ａ間に配置されているため、従来のように縦フレーム７，７がガラスパネル４，４の左右側端に配置される形態に比べ、縦フレーム７，７を目立ちにくくすることができる。
【００４６】
また、縦フレーム７，７とガラスパネル４，４の対向面４ａ，４ａとは、両面テープ７５，７５により固着されているので、ガラスパネル４が側端面４ｂ，４ｃと対向面４ａ（直交する２面）とで側部カバー部材７６，７７と縦フレーム７，７とに固着されるので、側部カバー部材７６，７７と縦フレーム７，７とガラスパネル４，４とが一体化され、夫々の相対移動を防止できる。
【００４７】
また、ガラスパネル４，４の荷重を縦方向の支持強度が高い縦フレーム７，７に支持させる構造であることから、下部フレーム８にガラスパネル４，４を支持させるだけの支持強度を持たせる必要がなく、該下部フレーム８を薄く構成することができるため、ガラスパネル４，４の透光領域を大きくすることができる。
【００４８】
さらに、両面テープ７５，７５によりガラスパネル４，４と縦フレーム７，７が固着されているため、ガラスパネル４，４に接続用の孔や特殊な接続具などを用意する必要がなく、簡単な構造で縦フレーム７，７に一対のガラスパネル４，４を支持させることができる。
【００４９】
また、縦フレーム７，７は、略板状を成し、一対のガラスパネル４，４間の間隔Ｌ２よりも左右方向の板厚の寸法Ｌ１が短寸に形成されているため、縦フレーム７，７とガラスパネル４，４とが左右に重畳する領域が小さくなり、ガラスパネル４，４の透光領域を広く見せることができ、室内空間に開放感を好適に演出できる。
【００５０】
また、縦フレーム７，７とガラスパネル４，４の対向面４ａ，４ａとの間には、両面テープ７５，７５が固着された位置とは異なる位置（両面テープ７５よりもガラスパネル４，４の左右方向中央側の位置）に緩衝部材２２が配置されているので、ガラスパネル４，４に撓みや変形等が生じても縦フレーム７，７とガラスパネル４，４との接触を防止することができる。
【００５１】
具体的には、両面テープ７５は、縦フレーム７の支持面７０ａ，７０ｂよりも左右幅が短寸となっているため、気泡が入りになっている。また、縦フレーム７の支持面７０ａ，７０ｂには、両面テープ７５よりも左右方向にずれて緩衝部材２２が配置されているので、ガラスパネル４，４に変形が生じたり外力が作用しても、縦フレーム７，７とガラスパネル４，４との直接接触することを防止することができる。
【００５２】
また、縦フレーム７には、前後の支持面７０ａ，７０ｂに上下方向に延びる凸条部７２，７２が設けられており、該凸条部７２，７２の突出側先端面７２ａ，７２ａに両面テープ７５，７５が貼付されている。そのため、ガラスパネル４，４の対向面４ａ，４ａが押し付けられる際に、凸条部７２，７２に圧力が集中するので、ガラスパネル４，４に対して両面テープ７５，７５を貼り付けやすい。
【００５３】
また、両面テープ７５，７５が凸条部７２，７２の突出側先端面７２ａ，７２ａに貼付されるため、両面テープ７５，７５が凸条部７２，７２に対してずれたとしても目立ちにくく見栄えが良いとともに、両面テープ７５，７５の凸条部７２，７２への貼付作業が簡便である。
【００５４】
また、側部カバー部材７６，７７は、ガラスパネル４，４の表面４ｄまたは裏面４ｅに沿ってガラスパネル４，４の反対側の側端面４ｂ，４ｃ方向に延びる延出部７６ｄ，７７ｄを有するため、延出部７６ｄ，７７ｄによりガラスパネル４，４と側部カバー部材７６，７７との固着部分がガラスパネル４，４の表面４ｄ側または裏面４ｅ側から視認不能または視認しにくくすることができ、美観が向上する。
【００５５】
また、延出部７６ｄ，７７ｄは、面取り加工されたガラスパネル４，４の側端面４ｂ，４ｃと表裏面４ｄ，４ｅとの角部４ｆに配設されているため、延出部７６ｄ，７７ｄの表裏面をガラスパネル４，４の表裏面４ｄ，４ｅと略面一とすることができ、間仕切パネル１，１，…を連接したときに、間仕切パネル１，１，…の前後の表面に凹凸が形成されることがないため、見栄えが良い。
【００５６】
次に、間仕切パネルの変形例１について説明する。図７に示されるように、本変形例１の間仕切パネル１０１は、前記実施例における側部カバー部材７６，７７の延出部７６ｄ，７７ｄが設けられておらず、対向部７６ｃ’，７７ｃ’がガラスパネル４，４の側端面４ｂ，４ｃと平行で、且つ対向部７６ｃ’，７７ｃ’の端面７６ｇ，７７ｇがガラスパネル４，４の表裏面４ｄ，４ｅと略面一となるように形成されている。この場合、対向部７６ｃ’，７７ｃ’とガラスパネル４，４の表裏面４ｄ，４ｅとの間に配置される両面テープ２１１は、対向部７６ｃ’の端面７６ｇとガラスパネル４の表面４ｄまたは裏面４ｅとの間が略面一となるように設けられることが好ましい。
【００５７】
次に、間仕切パネルの変形例２について説明する。図８に示されるように、本変形例２の間仕切パネル１０２は、被覆部材７０の支持面７０ａ，７０ｂが平坦に形成されている（前記実施例の凸条部７２，７２及び凸状部７３が設けられていない）。このような形態であっても、両面テープ７５によりガラスパネル４，４の荷重を縦方向の支持強度が高い縦フレーム７，７に支持させることができるとともに、緩衝部材２２により縦フレーム７，７とガラスパネル４，４との接触を防止することができる。
【００５８】
尚、間仕切パネルの変形例３として次のようなものもある。図９に示されるように、本変形例３の間仕切パネル１０３は、両面テープ１７５の左右幅Ｌ１０が縦フレーム７の支持面７０ａ，７０ｂの板厚（左右方向の厚み）の寸法Ｌ１と略同一となっている（実際には、両面テープ１７５が縦フレーム７の支持面７０ａ，７０ｂよりも若干短寸）。これによれば、ガラスパネル４と縦フレーム７との間に隙間が形成されないので、ガラスパネル４，４が変形して縦フレーム７，７とガラスパネル４，４との接触を防止することができる。さらに尚、縦フレーム７とガラスパネル４との間に亘って左右に離間して複数の接着材を配置しても同様の効果を発揮することができる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例及び前記変形例１〜３では、縦フレーム７，７と側部カバー部材７６，７７とが別体である形態を例示したが、これに限られず、縦フレーム７，７からガラスパネル４，４の側端面４ｂ，４ｂ又は側端面４ｃ，４ｃを覆うカバー部が延出して設けられていてもよい。また、上部フレーム６でガラスパネル４，４を支持するものであれば、縦フレーム７，７及び下部フレーム８の構成を省略してもよい。
【００６１】
また、前記実施例及び前記変形例１〜３では、側部カバー部材７６，７７とガラスパネル４，４とが接着材としての両面テープ２１，２１により固着された形態を例示したが、本発明はこれに限られず、側部カバー部材７６，７７とガラスパネル４，４とが溶着などにより固着されていてもよい。また、緩衝部材は、合成樹脂製に限られず、ガラスパネル４との接触を緩衝できるものであれば自由に変更できる。
【００６２】
また、前記実施例及び前記変形例２，３では、対向部７６ｃ，７６ｃとガラスパネル４，４の側端面４ｂ，４ｃとが両面テープ２１，２１により固着され、延出部７６ｄ，７７ｄとガラスパネル４，４の角部４ｆとの斜面同士の間に隙間が形成されるように略平行に配置される形態を例示したが、延出部７６ｄ，７７ｄとガラスパネル４，４の角部４ｆとの斜面同士の間も接着材または溶着により固着されていてもよい。
【００６３】
また、前記実施例では、ガラスパネル４，４が前後に２枚設けられる間仕切パネル１について説明したが、これに限られず、間仕切パネルは、ガラスパネル４が対向して少なくとも一対設けられていればよく、ガラスパネル４が３枚以上の複数設けられるものであってもよい。
【００６４】
また、前記実施例では、透光パネル部材として透明なガラスパネル４，４を利用する形態を例示したが、パネル部材は、透光性を有していればよく、例えば、半透明のパネル部材で構成されていてもよい。
【００６５】
また、一対のガラスパネル４，４と縦フレーム７，７とを固着する両面テープ７５，７５等の接着材は、上下方向に亘って連続するものに限らず、上下方向に分断されていてもよい。
【００６６】
また、一対のガラスパネル４，４と縦フレーム７，７との固着は、両面テープ７５，７５に加えて、付加的に他の固定手段を併用してもよいし、両面テープ７５，７５に代えてビスやネジ、溶着等の他の固定手段で固着されていてもよい。
【００６７】
また、前記実施例では、枠部材５を構成する一対の縦フレームに対して一対のガラスパネル４，４がそれぞれ両面テープ７５，７５により固着されて支持されるものについて説明したが、これに限らず、ガラスパネル４，４は、縦フレームだけでなく、上部フレーム６に対して両面テープにより固着されていてもよい。また、上部フレーム６及び縦フレームに対するガラスパネル４，４の固着は、両面テープによるもの限らず、他の接着剤や粘着剤が使用されてもよい。また、一対のガラスパネル４，４と縦フレームとを固着する接着材は、上下方向に分割されていてもよい。
【００６８】
また、前記実施例では、側部カバー部材７６，７７がアルミ合金で形成されている形態を例示したが、これに限られず、その他金属や合成樹脂等から構成されていてもよい。
【００６９】
また、前記実施例では、間仕切パネル１，１，…を連接したときに、側部カバー部材７６の凹嵌合部７６ａと側部カバー部材７７の凸嵌合部７７ａとが接触（嵌合）し、縁部７６ｂ，７６ｂ同士が若干離間する形態を例示したが、縁部７６ｂ，７６ｂ同士が直接接触するようになっていてもよい。
【００７０】
また、側部カバー部材は、縁部のみを薄く形成し、側部カバー部材の前後中央部は板厚を厚く形成して間仕切パネル連接時の衝撃に対する強度を高めるようにしてもよい。
【符号の説明】
【００７１】
１                間仕切パネル
４                ガラスパネル（透光パネル部材）
４ａ              対向面（対向内面）
４ｂ，４ｃ        側端面
５                枠部材
６                上部フレーム
７                縦フレーム（対向内面）
８                下部フレーム
１０              移動間仕切装置
２１              両面テープ（接着材）
２２              緩衝部材
７５              両面テープ（接着材）
７６，７７        側部カバー部材
７６ｂ，７７ｂ    縁部
７６ｃ，７７ｃ    対向部
７６ｄ，７７ｄ    延出部
１００            間仕切パネル
１７５            両面テープ（接着材）
【図１】
2019218693.tif 000003
【図２】
2019218693.tif 000004
【図３】
2019218693.tif 000005
【図４】
2019218693.tif 000006
【図５】
2019218693.tif 000007
【図６】
2019218693.tif 000008
【図７】
2019218693.tif 000009
【図８】
2019218693.tif 000010
【図９】
2019218693.tif 000011